(57)【要約】      （修正有）【課題】各種電子機器の操作に使用される入力装置に関し、柔軟に操作者の意思を反映した操作の可能な入力装置を提供する。【解決手段】表示素子２７に制御回路２２が表示した楽曲表示４１やアドレスなどの複数の表示対象のうち一つを選択する選択表示４１Ａを他の表示対象に移動する速度を、制御回路２２が検出した感圧体の信号の変化に応じて可変としているため、操作者の意図を反映した速度で選択表示４１Ａの移動が可能となる。【選択図】図３
2012038062.tif 000002
【特許請求の範囲】
【請求項１】
タッチパネルと、前記タッチパネルの押圧力に応じ異なる信号を出力する感圧体と、前記タッチパネル下方に配置された表示素子と、前記タッチパネルおよび前記感圧体および前記表示素子に電気的に接続された制御回路を有し、前記表示素子に前記制御回路が表示した複数の表示対象のうち一つを選択する選択表示を他の表示対象に移動する速度を、前記制御回路が検出した前記感圧体の信号の変化に応じて可変とした入力装置。
【請求項２】
タッチパネルと、前記タッチパネルの押圧力に応じ異なる信号を出力する感圧体と、前記タッチパネル下方に配置された表示素子と、前記タッチパネルおよび前記感圧体および前記表示素子に電気的に接続された制御回路を有し、前記表示素子に前記制御回路が表示したメニュー表示を押圧したことを前記制御回路が前記タッチパネルの信号から検出し、前記メニュー表示と異なる位置に前記メニュー表示の内容を示したサブウィンドウを表示し、所定の押圧力で前記メニュー表示を押圧すると、前記感圧体の信号から前記制御回路が所定の押圧力で押圧したことを検出し、前記制御回路が前記メニュー表示の選択を確定する入力装置。
【請求項３】
タッチパネルと、前記タッチパネルの押圧力に応じ異なる信号を出力する感圧体と、前記タッチパネル下方に配置された表示素子と、前記タッチパネルおよび前記感圧体および前記表示素子に電気的に接続された制御回路を有し、前記表示素子に前記制御回路が表示した画像を拡大または縮小する率を、前記制御回路が検出した前記感圧体の信号の変化に応じて可変とした入力装置。
【発明の詳細な説明】
【技術分野】
【０００１】
本発明は、主に各種電子機器の操作に用いられる入力装置に関するものである。
【背景技術】
【０００２】
近年、携帯電話や音楽プレーヤ等の各種電子機器の高機能化や小型化が進むに伴い、これらの操作に用いられる入力装置にも、操作性のよいものが求められている。
【０００３】
このような従来の入力装置について、図７及び図８を用いて説明する。
【０００４】
なお、これらの図面は構成を判り易くするために、部分的に寸法を拡大して表している。
【０００５】
図７は従来の入力装置を用いた電子機器の分解斜視図であり、同図において、上下面に配線パターンが形成された配線基板１の下面にマイコンなどの半導体素子で構成された制御回路２、フラッシュメモリなどの半導体素子で構成されたデータ蓄積回路３やコネクタ４などが設けられている。
【０００６】
また、配線基板１の上面には、絶縁樹脂製のスペーサシート５や、液晶ディスプレイなどの表示機能を備えた表示素子６や、静電方式のタッチパネル７が重ねられ、入力装置８が構成されている。
【０００７】
なお、タッチパネル７は配線ケーブル（図示せず）などによりコネクタ４に接続され、制御回路２は、同じ配線基板１上のデータ蓄積回路３と電気的に接続されると共に、コネクタ４から配線ケーブルを介してタッチパネル７と電気的に接続されている。
【０００８】
そして、入力装置８は下側ケース９と上側ケース１０の間に挟まれ、タッチパネル７が、上側ケース１０に設けられた操作窓１０Ａの下方に配置される。さらに、操作窓１０Ａを樹脂フィルムやガラスなどを材料とする透光性のカバー１１で覆って、電子機器１２が構成されている。
【０００９】
このように構成された電子機器１２において、例えばデータ蓄積回路３に保存された多数の楽曲データの中から一つの楽曲データを選択して再生する場合、図８に示す上面図のような表示を用いて行っていた。
【００１０】
ここで、同図（ａ）のように、表示素子６には、複数の楽曲表示１３や、メニュー表示１４が表示され、操作者はメニュー表示１４に接触して選択および確定していた。
【００１１】
ここで、複数の楽曲表示１３の中から所望の楽曲表示１３を選択する場合には、操作者は「ＭＵＳＩＣ」のメニュー表示１４を押圧し続けることで、楽曲表示１３の中の選択表示１３Ａを一定の変化速度で移動させ、所望の楽曲を選定するものとなっていた。
【００１２】
すなわち従来の入力装置では、メニュー表示１４上を所定時間押圧し続けることなどで、楽曲表示１３のうちの選択表示１３Ａを移動させるものとなっていた。
【００１３】
なお、この出願の発明に関連する先行技術文献情報としては、例えば、特許文献１が知られている。
【先行技術文献】
【特許文献】
【００１４】
【特許文献１】特開２００９−３２０２８号公報
【発明の概要】
【発明が解決しようとする課題】
【００１５】
しかしながら、データ蓄積回路３は近年大容量化が進み、保存される楽曲データの曲数も増大するなか、一定速度の選択表示１３Ａの移動では選択に時間がかかりすぎ、柔軟に操作者の意思を反映した操作が困難であるという課題があった。
【００１６】
本発明は、このような従来の課題を解決するものであり、柔軟に操作者の意思を反映した操作の可能な入力装置を提供することを目的とする。
【課題を解決するための手段】
【００１７】
上記目的を達成するために本発明は、以下の構成を有するものである。
【００１８】
本発明の請求項１記載の発明は、表示素子に制御回路が表示した複数の表示対象のうち一つを選択する選択表示を他の表示対象に移動する速度を、制御回路が検出した感圧体の信号の変化に応じて可変としているため、操作者の意図を反映した速度で選択表示の移動が可能となり、柔軟に操作者の意思を反映した操作を行う入力装置を得ることができるという作用を有するものである。
【００１９】
請求項２記載の発明は、表示素子に制御回路が表示したメニュー表示を押圧したことを制御回路がタッチパネルの信号から検出し、メニュー表示と異なる位置にメニュー表示の内容を示したサブウィンドウを表示し、所定の押圧力でメニュー表示を押圧すると、感圧体の信号から制御回路が所定の押圧力で押圧したことを検出し、制御回路がメニュー表示の選択を確定しているため、操作者が押圧したメニュー表示の内容を確認しやすいようサブウィンドウを表示すると共に、所定の押圧力で押圧しないと確定できないので、誤って接触した場合や、誤って操作した場合の確定を避けることが可能な入力装置を得ることができるという作用を有するものである。
【００２０】
請求項３記載の発明は、表示素子に制御回路が表示した画像を拡大または縮小する率を、制御回路が検出した感圧体の信号の変化に応じて可変としているため、操作者の意図を反映した速度で拡大または縮小の表示を変化させることが可能で、柔軟に操作者の意思を反映した操作を行う入力装置を得ることができるという作用を有するものである。
【発明の効果】
【００２１】
以上のように本発明によれば、柔軟に操作者の意思を反映した操作の可能な入力装置を実現することができるという有利な効果が得られる。
【図面の簡単な説明】
【００２２】
【図１】本発明の一実施の形態による入力装置を用いた電子機器の分解斜視図
【図２】同電子機器の右半面の断面図
【図３】同電子機器の上面図
【図４】同電子機器の上面図
【図５】同電子機器の上面図
【図６】同電子機器の上面図
【図７】従来の入力装置を用いた電子機器の分解斜視図
【図８】同電子機器の上面図
【発明を実施するための形態】
【００２３】
以下、本発明の実施の形態について、図１〜図６を用いて説明する。
【００２４】
なお、これらの図面は構成を判り易くするために、部分的に寸法を拡大して表している。
【００２５】
（実施の形態）
図１は本発明の一実施の形態による入力装置を用いた電子機器の分解斜視図、図２は同入力装置を用いた電子機器の右半面の断面図であり、同図において、上下面に配線パターンが形成された配線基板２１の下面にマイコンなどの半導体素子で構成された制御回路２２、フラッシュメモリなどの半導体素子で構成されたデータ蓄積回路２３やコネクタ２４、２５などが設けられている。
【００２６】
なお、制御回路２２は、配線パターンを介して、データ蓄積回路２３やコネクタ２４、２５に電気的に接続されている。また、データ蓄積回路２３には、楽曲データや、電話番号のデータ、写真のデータあるいは電子書籍のデータが保存されている。
【００２７】
また、配線基板２１の上方には、絶縁樹脂製で略箱状のホルダー２６が配置され、ホルダー２６に液晶ディスプレイなどの表示機能を備えた表示素子２７が収納されている。
【００２８】
また方形枠状の絶縁樹脂製のスペーサ２８の上面角部の四箇所に導電金属製の導電板２９が貼付されている。
【００２９】
そして、導電板２９の上方には、方形枠状で絶縁樹脂製の配線シート３０が配置され、配線シート３０の角部のスペーサ２８と対向する面に感圧体３１Ａ〜３１Ｄが配置されている。
【００３０】
そして、スペーサ２８、導電板２９、配線シート３０、感圧体３１Ａ〜３１Ｄから感圧シート３２が構成されている。
【００３１】
つまり、感圧シート３２は、感圧体３１Ａ〜３１Ｄが押圧され、導電板２９との間で生じた、それぞれの接触抵抗の変化が信号の変化として、配線シート３０から出力され、制御回路２２で、四隅の感圧体３１Ａ〜３１Ｄの接触抵抗の比から押圧された位置を検出すると共に、その位置の押圧力が検出されるよう構成されている。
【００３２】
また、感圧シート３２の上面には静電容量式のタッチパネル３３が配置されている。そして、タッチパネル３３から延出した配線ケーブル（図示せず）がコネクタ２４に、感圧シート３２から延出した配線ケーブル（図示せず）がコネクタ２５に接続され、制御回路２２は、コネクタ２４、２５を介して感圧シート３２とタッチパネル３３に電気的に接続されている。
【００３３】
つまり、制御回路２２やデータ蓄積回路２３が配置された配線基板２１の上方に、ホルダー２６、表示素子２７、感圧シート３２、タッチパネル３３が重ねられており、これらから入力装置３５が構成されている。
【００３４】
そして、入力装置３５は下側ケース９と上側ケース１０の間に挟まれ、タッチパネル３３の上方に、上側ケース１０に設けられた操作窓１０Ａが配置される。また、操作窓１０Ａを樹脂フィルムやガラスなどを材料とする透光性のカバー１１で覆って、電子機器４０が構成されている。
【００３５】
このように構成された電子機器４０において、例えばデータ蓄積回路２３に保存された多数の楽曲データの中から一つの楽曲データを選択して再生する場合の操作について、図３の上面図を用いて説明する。
【００３６】
ここで、同図（ａ）は、楽曲データを選択する際の初期表示で、表示素子２７上面に、複数の楽曲表示４１や、楽曲表示４１と並んで、三箇所のメニュー表示４２が表示されている。
【００３７】
なお、同図（ａ）は、操作者が、カバー１１上の「ＭＵＳＩＣ」のメニュー表示４２に対応する位置に接触し、タッチパネル３３からの信号を制御回路２２が検出した後の表示である。
【００３８】
次に、同図（ｂ）のように、再度、操作者が「ＭＵＳＩＣ」のメニュー表示４２を押圧すると、タッチパネル３３からの信号を制御回路２２が検出し、楽曲表示４１のうち選択された選択表示４１Ａが次の楽曲表示４１に移動する。
【００３９】
ここで、制御回路２２は、タッチパネル３３からの信号を検出すると共に、感圧シート３２の感圧体３１Ａ〜３１Ｄの信号の変化を検出している。ここで、感圧体３１Ａ〜３１Ｄの信号から、制御回路２２は、押圧されたメニュー表示４２の位置を確認のため検出し、さらに押圧力を検出する。
【００４０】
そして、押圧力に応じた移動速度で、選択表示４２が次々と下方の楽曲表示４１に、表示素子２７の表示をスクロールさせながら移動する。
【００４１】
つまり、押圧力が大きい場合は、早い移動速度で、押圧力が小さい場合はゆっくりとした移動速度で選択表示４１Ａが移動することにより、操作者の意思を反映した選択表示４１Ａの移動速度での楽曲表示４１の選定が可能となる。
【００４２】
これにより選択したい楽曲データに対応した楽曲表示４１が、現在の選択表示４１Ａから大きく離れている場合には押圧力を大きくして、早く選択表示４１Ａを移動させ、近くなってくると押圧力を小さくして、ゆっくりと選択表示４１Ａを移動させる速度調整を行うことができ、素早く的確な楽曲表示４１の選択が可能となる。
【００４３】
そして、同図（ｃ）で示すように、選択表示４１Ａが所望の楽曲表示４１と一致した状態で、操作者が「ＭＵＳＩＣ」のメニュー表示４２とは異なる位置を押圧すると、タッチパネル３３からの信号を制御回路２２で検出して、選択された楽曲表示４１に対応した楽曲データの選択を制御回路２２が確定する。
【００４４】
つまり、感圧体３１Ａ〜３１Ｄの信号を用いて選択表示４１Ａの移動速度を可変とし、かつ、タッチパネル３３からの信号を用いた複数点の接触検出処理を制御回路２２が行うことにより、所望の楽曲データのより素早い選択および確定が可能となっている。
【００４５】
次に、この電子機器４０の電話機能を用い、電話番号のアドレス帳やメールアドレスなどの検索操作を行う場合について、図４の上面図を用いて説明する。
【００４６】
同図（ａ）は操作者が電話番号のアドレス帳を表示素子２７に表示させた状態を示している。ここで、複数のアドレスシート４３がタブ表示部４３Ａ以外の部分を重ねて表示されている。このタブ表示部４３Ａには、例えば「あ」「か」「さ」など、日本語五十音表記の各行を示す表示がなされている。
【００４７】
ここで、同図（ｂ）で示すように、「さ」のタブ表示部４３Ａに操作者が指で接触すると、「さ」行のアドレスシート４３が選択可能な表示となり、先頭のアドレス４４が選択表示４４Ａとして現在選択されているアドレス４４として表示される。
【００４８】
そして、同図（ｃ）で示すように、「さ」のタブ表示部４３Ａを押圧すると、上述の楽曲表示４１の場合と同様に、制御回路２２は、タッチパネル３３からの信号の検出に並行して、感圧シート３２の感圧体３１Ａ〜３１Ｄの接触抵抗の変化を検出する。そして、感圧体３１Ａ〜３１Ｄの接触抵抗から、制御回路２２は、押圧されたメニュー表示４２の位置を確認のため検出し、さらに押圧力を検出し、押圧力に応じた移動速度で、押圧力を強くすると早く、押圧力を緩めるとゆっくりと選択表示４４Ａが次々と下方のアドレス４４に移動する。
【００４９】
さらに、同図（ｄ）で示すように、「さ」のタブ表示部４３Ａを指で押圧したまま、操作窓１０Ａ内の「さ」のタブ表示部４３Ａとは異なる位置を別の指で押圧した際に、タッチパネル３３からの信号から押圧がされた複数点の位置を制御回路２２で検出し、制御回路２２は選択表示４４Ａとなっているアドレス４４で選択を確定する。そして、電子機器４０に対し、操作者が発信操作をすることにより、そのアドレス４４の電話番号へ発信する。
【００５０】
さらに、電子機器４０の有する電子書籍の読み取り機能を用い、電子書籍を読む場合について、図５の上面図を用いて説明する。
【００５１】
ここで、同図（ａ）において、複数のメニュー表示４５が表示素子２７上に表示されており、指で押圧すると、タッチパネル３３からの信号から押圧がされた位置を制御回路２２で検出する。そして、制御回路２２は押圧したメニュー表示４５から離れた位置にサブウィンドウ４６を表示し、サブウィンドウ４６内に押圧したメニュー表示４５に対応する「ＢＯＯＫ」と表示する。
【００５２】
それから、操作者が「ＢＯＯＫ」のメニュー表示４５を指でさらに押圧すると、制御回路２２は感圧シート３２の感圧体３１Ａ〜３１Ｄの接触抵抗の変化を検出して、制御回路２２は「ＢＯＯＫ」のメニュー表示４５で確定する。
【００５３】
それから、操作者が表示したい本を選択すると、同図（ｂ）のように、制御回路２２は、本の最初のページを表示する。
【００５４】
そして、操作者が表示されたページを読み、ページをめくりたい場合には、同図（ｃ）のように、操作窓１０Ａ内の上半分のいずれかの位置を押圧すると表示されるページが後のページに移動する。そして、操作者が押圧力を変化すると、制御回路２２は感圧体３１Ａ〜３１Ｄの接触抵抗の変化を検出して、強く押すと早くページの移動を行い、押圧力を緩めるとゆっくりとページの移動を行う。
【００５５】
なお、操作窓１０Ａ内の下半分のいずれかの位置を押圧すると表示されるページが前のページに移動し、上述の場合と同様にページの移動は、操作者の押圧力に対応して変化する。
【００５６】
さらに、図６の表示図で示すのは、電子機器４０がカメラによる写真の撮影機能を有していた場合に、操作者が写真を撮影する場合である。
【００５７】
ここで、同図（ａ）は操作者がカメラを起動し、表示素子２７にカメラで撮影した画像となる映像４７が表示されている。
【００５８】
そこで、同図（ｂ）のように、操作者が操作窓１０Ａ内の上半分のいずれかの位置を押圧すると、映像４７が拡大される。この拡大する倍率は、操作者の押圧力に対応しており、制御回路２２は感圧体３１Ａ〜３１Ｄの信号の変化を検出することにより、強く押圧すると高倍率に拡大され、弱く押圧すると低倍率に拡大されるものである。
【００５９】
さらに、同図（ｃ）のように、操作者が操作窓１０Ａ内の下半分のいずれかの位置を押圧すると、映像が縮小される。この縮小する縮尺は、操作者の押圧力に対応しており、制御回路２２が感圧体３１Ａ〜３１Ｄの信号の変化を検出して行うのは拡大の場合と同様である。
【００６０】
そして、同図（ｄ）のように、操作者が複数位置を押圧すると、制御回路２２がタッチパネル３３からの信号により、複数位置の押圧を検出し、表示素子２７にその時に表示されている映像４７で、制御回路２２が写真の撮影を行う。
【００６１】
なお、上述の説明では、画像として映像４７の拡大、縮小の際に拡大、縮小の率が変化するものとして説明したが、画像の拡大、縮小の他の例としては、写真を拡大、縮小する際に拡大、縮小の率を変化するものとしてもよい。
【００６２】
このように本実施の形態によれば、表示素子２７に制御回路２２が表示した楽曲表示４１やアドレス４４などの複数の表示対象のうち一つを選択する選択表示４１Ａ、４４Ａを他の表示対象に移動する速度を、制御回路２２が検出した感圧体３１Ａ〜３１Ｄの信号の変化に応じて可変としているため、操作者の意図を反映した速度で選択表示４１Ａ、４４Ａの移動が可能となり、柔軟に操作者の意思を反映した操作を行う入力装置３５を得ることができる。
【００６３】
また、表示素子２７に制御回路２２が表示したメニュー表示４５を押圧したことを制御回路がタッチパネル３３の信号から検出し、メニュー表示４５と異なる位置にメニュー表示４５の内容を示したサブウィンドウ４６を表示し、所定の押圧力でメニュー表示４５を押圧すると、感圧体３１Ａ〜３１Ｄの信号から制御回路２２が所定の押圧力で押圧したことを検出し、制御回路２２がメニュー表示４５の選択を確定するため、操作者が押圧したメニュー表示４５の内容を確認しやすいようサブウィンドウ４６を表示し、所定の押圧力で押圧しないと確定できず、誤って接触した場合や、誤って操作した場合の確定を避けることが可能な入力装置３５を得ることができる。
【００６４】
さらに、表示素子２７に制御回路２２が表示した映像や写真などの画像を拡大または縮小する率を、制御回路２２が検出した感圧体３１Ａ〜３１Ｄの信号の変化に応じて可変としているため、操作者の意図を反映した倍率または縮尺で画像の拡大または縮小の表示を変化させることが可能で、柔軟に操作者の意思を反映した操作を行う入力装置３５を得ることができる。
【産業上の利用可能性】
【００６５】
本発明による入力装置は、柔軟に操作者の意思を反映した操作の可能なものを実現することができるという有利な効果を有し、主に各種電子機器の操作用として有用である。
【符号の説明】
【００６６】
９  下側ケース
１０  上側ケース
１０Ａ  操作窓
１１  カバー
２１  配線基板
２２  制御回路
２３  データ蓄積回路
２４、２５  コネクタ
２６  ホルダー
２７  表示素子
２８  スペーサ
２９  導電板
３０  配線シート
３１Ａ〜３１Ｄ  感圧体
３２  感圧シート
３３  タッチパネル
３５  入力装置
４０  電子機器
４１  楽曲表示
４１Ａ、４４Ａ  選択表示
４２、４５  メニュー表示
４３  アドレスシート
４３Ａ  タブ表示部
４４  アドレス
４６  サブウィンドウ
４７  映像
【図１】
2012038062.tif 000003
【図２】
2012038062.tif 000004
【図３】
2012038062.tif 000005
【図４】
2012038062.tif 000006
【図５】
2012038062.tif 000007
【図６】
2012038062.tif 000008
【図７】
2012038062.tif 000009
【図８】
2012038062.tif 000010